(57)【要約】【課題】  映像記録再生装置の利用形態の多角化と利便性の向上を図ることを目的とする。【解決手段】  入力部に取込まれた主映像及び主音声と別途設けられた入力部に取込まれた副音声又は副映像の記録動作とが順次実行される映像記録再生装置。【選択図】  図１
2006127629.tif 000002
【特許請求の範囲】
【請求項１】
第１の映像及び音声からなる第１の信号を記録するための第１のデータ領域と、
前記第１のデータ領域に記録された前記第１の信号に対して編集する際に用いられる第２の映像又は音声からなる第２の信号を記録するための第２のデータ領域とが、
連続して配置されたデータ領域を記録単位とする記録媒体に対して、映像及び音声を記録再生する映像記録再生装置であって、
前記第１の映像及び音声を入力するための第１の入力部と、
前記第２の映像又は音声を入力するための第２の入力部とを別々に備え、
前記第１の映像及び音声の記録動作と前記第２の映像又は音声の記録動作とが順次実行されることを特徴とする映像記録再生装置。
【請求項２】
前記第２のデータ領域に記録された前記第２の信号は、消去できることを特徴とする請求項１記載の映像撮影記録再生装置。
【発明の詳細な説明】
【技術分野】
【０００１】
映像記録再生装置における主音声及び映像と副音声又は映像の記録に関する。
【背景技術】
【０００２】
近年、光ディスクを利用した映像記録再生装置が広く注目されている。
【０００３】
より詳細には、従来のデジタルビデオカムコーダに使用されている磁気テープ媒体を、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）規格に基づいた、書き換え可能な光ディスク媒体に置き換えたものである。
【０００４】
前記映像記録再生装置は、光ディスクを使用したことによりランダムアクセス性が大幅に向上し、該光ディスクに記録された映像・音声の編集操作や即時再生等、ユーザーの利便性が大幅に向上した。
【０００５】
また、特開平０６−３０９８０３号公報には、記録可能な光ディスクにおいて、音声のアフターレコーディング（以下アフレコと記す）用領域を、アドレス情報領域とデータ領域とは別に同一トラック上に設けるフォーマットが開示されている。該発明によると、前記フォーマットを用いることによって、音声のアフレコが可能となり、利用範囲の広範化をはかって、高付加価値を有する光ディスクシステムの構成が可能であると示されている。
【特許文献１】特開平０６−３０９８０３号公報
【発明の開示】
【発明が解決しようとする課題】
【０００６】
本発明は、上述したような光ディスクを用いる映像記録再生装置において、利用形態の多角化と利便性の向上を図った映像記録再生装置を提供することを目的とする。
【課題を解決するための手段】
【０００７】
第１の映像及び音声からなる第１の信号を記録するための第１のデータ領域と、前記第１のデータ領域に記録された前記第１の信号に対して編集する際に用いられる第２の映像又は音声からなる第２の信号を記録するための第２のデータ領域とが、連続して配置されたデータ領域を記録単位とする記録媒体に対して、映像及び音声を記録再生する映像記録再生装置であって、前記第１の映像及び音声を入力するための第１の入力部と、前記第２の映像又は音声を入力するための第２の入力部とを別々に備え、前記第１の映像及び音声の記録動作と前記第２の映像又は音声の記録動作とが順次実行されることを特徴とする映像記録再生装置。
【発明の効果】
【０００８】
本発明により、映像記録再生装置における利用形態の多角化と利便性の向上を図ることができる。
【発明を実施するための最良の形態】
【０００９】
（第１の実施例）
本発明の映像記録再生装置の実施例について図面を参照しながら以下に説明する。図１は、本発明に係る第１の映像記録再生装置の概略図である。
【００１０】
図１において１０１は光ディスクであり、１０２は装置全体の制御を行うＣＰＵであり、１０３は映像及び音声等のデータを一時記憶するためのメモリであり、１０４は前記光ディスク１０１を回転させるスピンドルモータである。
【００１１】
また、１０５は半導体レーザ等の光源及び、該光源の出力パワーを制御するレーザ制御回路であり、１０６は前記光源からの光ビームを前記光ディスク１０１上に光ビームを集光すると共に、該光ディスク１０１からの反射若しくは透過光を検出する光学ヘッドである。
【００１２】
１０７は前記光学ヘッド１０６で集光される光ビームを前記光ディスク１０１上の所望位置にフォーカス、トラッキング制御するサーボ制御部であり、１０８は前記光学ヘッド１０６を前記光ディスク１０１の所望トラック位置に移動するための制御を行うシーク制御部である。
【００１３】
１０９は前記光ディスク１０１から前記光学ヘッド１０６によって得られる再生信号を処理して復号データを生成する再生信号処理部であり、１１０は前記光ディスク１０１へ記録するに適した信号に処理して符号データを生成する記録信号処理部である。１１１はＥＣＣ（Ｅｒｒｏｒ  Ｃｈｅｃｋ  ａｎｄ  Ｃｏｒｒｅｃｔ）であり、記録時には前記光ディスク１０１に記録する記録データに訂正符号の付加処理を行い、再生時には前記光ディスク１０１から再生された復号データのエラーのチェック、及び訂正符号を用いて復号データのエラー訂正処理を行うものである。
【００１４】
１１２は前記光ディスク１０１に記録される映像信号を入力する映像入力部であり、１１３は前記光ディスク１０１に記録される音声信号を入力する第１の音声入力部であり、該映像入力部１１２及び該第１の音声入力部で得られた映像及び第１の音声信号は、第１変換部１１５により所定フォーマットに処理される。更に、１１４は前記光ディスク１０１に記録する音声信号を入力する第２の音声入力部であり、第２変換部１１６により所定フォーマットに処理されるものである。
【００１５】
ここで、本発明に係る装置に用いられる前記光ディスク１０１に映像及び音声信号を記録する際のフォーマットについて説明する。
【００１６】
本発明の前記光ディスク１０１においては、特開２００３−５９１９６に開示されているように、映像及び音声からなるビデオデータと音声のアフターレコーディング（以下アフレコと記す）データを記録媒体上で連続的に配置する構成で記録再生を行う。該記録フォーマットの概略を図２に示す。
【００１７】
図２に示すように前記記録フォーマットはＡｕｄｉｏ  Ｖｉｄｅｏストリーム（以下ＡＶストリームと記す）と呼ばれ、整数個（１・・・Ｎ個）のＲｅｃｏｒｄｉｎｇ  Ｕｎｉｔ（以下ＲＵと記す）で構成される。該ＲＵは前記光ディスク１０１上で連続的に記録する単位である。
【００１８】
更に、前記ＲＵは整数個（１・・・Ｍ個）のＶｉｄｅｏ  Ｕｎｉｔ（以下ＶＵと記す）で構成され、該ＶＵが、前記光ディスク１０１への記録再生可能な最小単位となる。また前記ＶＵは、映像データが記録再生されるＶｉｄｅｏ領域と、第１の音声データが記録再生されるＡｕｄｉｏ領域並びに第２の音声データが記録再生されるＰｏｓｔ  Ｒｅｃｏｒｄｉｎｇ  Ｕｎｉｔ（以下ＰＲＵと記す）領域により構成される。
【００１９】
前記Ｖｉｄｅｏ領域は、１秒程度の映像データからなる整数個のＧｒｏｕｐ  Ｏｆ  Ｐｉｃｔｕｒｅｓ（以下ＧＯＰと記す）で構成され、これに対するＡｕｄｉｏ領域並びにＰＲＵ領域は一定サイズの音声データからなる整数個のＡｕｄｉｏ  Ａｃｃｅｓｓ  Ｕｎｉｔ（以下ＡＡＵと記す）から構成される。
【００２０】
ここで、ＧＯＰとはＭＰＥＧ−２規格におけるデータ圧縮の単位であり、同様にＡＡＵはＭＰＥＧ−１規格におけるデータ圧縮の単位である。
【００２１】
図２において、ＲＵ＿１はＡＶストリーム中の１番目のＲＵを示し、順にＲＵ＿２・・・ＲＵ＿Ｎと表記する。同様に、ＶＵ＿１＿１は１番目のＲＵ＿１における１番目のＶＵを示し、順にＶＵ＿１＿２・・・ＶＵ＿Ｎ＿Ｍ（ＶＵ＿Ｎ＿Ｍは、Ｎ番目のＲＵ＿ＮにおけるＭ番目のＶＵ）と表記する。また、前記各ＶＵ＿Ｎ＿ＭにおけるＶｉｄｅｏ領域、Ａｕｄｉｏ領域並びにＰＲＵ領域に対応するこれら各領域は、各々Ｖｉｄｅｏ＿Ｎ＿Ｍ、Ａｕｄｉｏ＿Ｎ＿Ｍ並びにＰＲＵ＿Ｎ＿Ｍと表記する。
【００２２】
更に、映像データの記録再生される前記Ｖｉｄｅｏ領域と、第１の音声データが記録再生される前記Ａｕｄｉｏ領域並びに第２の音声データが記録再生される前記ＰＲＵ領域は、前記光ディスク１０１上において物理的に連続した領域として配置されるものである。
【００２３】
次に、通常の記録動作について図３を参照しながら以下に説明する。ここで、通常の記録とは、ＰＲＵ領域に第２の音声データを記録しないＡＶストリーム記録を言う。
【００２４】
まず、シーク制御部１０８によって光ピックアップ１０６は、１番目のＲＵ＿１を構成する１番目のＶＵ＿１＿１の先頭アドレスにシークされて、続いてサーボ制御部１０７により、レーザ制御部からの光ビームを光ディスク１０１上フォーカス及びトラッキング制御がされる。
【００２５】
前記ＶＵ＿１＿１は、例えば、前記光ディスク１０１上においてＰＲＵ＿１＿１、Ａｕｄｉｏ＿１＿１、Ｖｉｄｅｏ＿１＿１の順に物理的に連続した領域として配置されるものである。
【００２６】
該通常記録において、該ＰＲＵ＿１＿１には第２の音声データの記録を行わない為、前記光アップ１０６は前記ＶＵ＿１＿１を構成するＡｕｄｉｏ＿１＿１にジャンプし、所定の第１の音声データの記録を行い、続けて所定の映像データをＶｉｄｅｏ＿１＿１へ記録する。この時、前記ＶＵ＿１＿１の先頭アドレスへのシーク動作に合わせて、該ＶＵ＿１＿１を構成するＡｕｄｉｏ＿１＿１までシークするような方法でも良い。
【００２７】
前記ＶＵ＿１＿１の記録が終了すると、続けてＶＵ＿１＿２の記録が行われる。該ＶＵ＿１＿２も前記ＶＵ＿１＿１と同様に、前記光ディスク１０１上においてＰＲＵ＿１＿２、Ａｕｄｉｏ＿１＿２、Ｖｉｄｅｏ＿１＿２の順に物理的に連続した領域として配置されている。このため、前記光ピックアップ１０６は、前記Ｖｉｄｅｏ＿１＿１の記録終了後、前記Ａｕｄｉｏ＿１＿２までトラックジャンプにより移動し、所定の第１の音声データの記録を行う。
【００２８】
この様に、ＲＵ＿１を構成するＭ個のＶＵ＿１＿Ｍを、前記Ａｕｄｉｏ＿１＿Ｍ領域及びＶｉｄｅｏ＿１＿Ｍ領域の記録と、ＰＲＵ＿１＿Ｍ領域のトラックジャンプを繰り返し行うことにより該ＲＵ＿１の記録が完了する。
【００２９】
更に、ＲＵ＿１に続けて、ＲＵ＿２、ＲＵ＿３・・・ＲＵ＿Ｎと記録が行われる事で、所定のＡＶストリームの記録が行われるものである。
【００３０】
よって、前記通常記録においては、前記ＲＵ＿Ｎに属するＭ個の前記ＶＵ＿Ｎ＿Ｍを構成するＰＲＵ＿Ｎ＿Ｍ領域、即ち第２の音声データが記録再生される領域は未記録状態となる。
【００３１】
本発明に係る第１の実施例においては、映像及び第１の音声データを前記Ｖｉｄｅｏ領域及びＡｕｄｉｏ領域に記録している間においても、前記ＰＲＵ領域に、任意の第２の音声データを記録する。
【００３２】
以下、本発明の係る映像記録再生装置の記録シーケンスについて、図４〜図６のフローチャートを参照しながら説明する。
【００３３】
先ず、Ｓ４０１においてＣＰＵ１０２が不図示のボタン等により撮影・記録開始を認識されると、Ｓ４０２において撮影・記録の終了が認識されるまで、撮影シーケンスＳ５０１が実行される。
【００３４】
図５に前記撮影シーケンスＳ５０１の詳細なフローチャートを示す。
【００３５】
本発明における映像入力部１１２から入力された映像信号は、第１の変換部１１５において前記ＭＰＥＧ−２規格に基づく信号処理が行われ、前記記録フォーマットに従った映像データに変換処理される。また同時に、第１の音声入力部１１３から入力された第１の音声信号は、第１の変換部１１５において前記ＭＰＥＧ−１規格に基づく信号処理が行われ、前記記録フォーマットに従った第１の音声データに変換処理される。（Ｓ５０２）
更にこれとは別に、第２の音声入力部１１４から入力された第２の音声信号は、第２の変換部１１６において前記ＭＰＥＧ−１規格に基づく信号処理が行われ、前記記録フォーマットに従った第２の音声データに変換処理される。（Ｓ５０２）
前記第１の変換部で処理された映像データ及び第１の音声のデータと、前記第２の変換部で処理された第２の音声データは、順次メモリ１０３に一時保存される。（Ｓ５０３）
ここで、前記映像入力部１１２としてはＣＣＤ撮像素子、前記第１の音声入力部１１３としてはマイクロフォンが広く一般的に用いられている。更に本発明の特徴とする前記第２の音声入力部１１４としては、ＳＤカード等の半導体メモリを利用する音声再生装置や、前記第１の音声入力部１１３に用いられるマイクロフォンとは異なるピンマイク等が用いられ、何れの場合においても、第１の音声入力部１１２と第２に音声入力部１１４から得られる第１及び第２の音声信号が明確に分離されていることが望ましい。
【００３６】
また、該第２の音声入力部１１４から入力される第２の音声信号は、前記映像入力部１１２から入力されている映像信号に合わせたＢａｃｋ  Ｇｒｏｕｎｄ  Ｍｕｓｉｃ（ＢＧＭ）信号とするのが最も効果的な利用形態であるが、該映像信号に合わせた情景解説や登場人物を説明するナレーション信号等であってもよい。
【００３７】
図６には前記メモリ１０３に一時保持される前記映像データ及び第１音声データと第２の音声データの構成を示す。
【００３８】
前記映像データは、本発明に係る記録フォーマットに基づきＶｉｄｅｏ＿１＿１、Ｖｉｄｅｏ＿１＿２・・・Ｖｉｄｅｏ＿Ｎ＿Ｍの順に一次保持され、同様に前記第１の音声データは、本発明に係る記録フォーマットに基づきＡｕｄｉｏ＿１＿１、Ａｕｄｉｏ＿１＿２・・・Ａｕｄｏ＿Ｎ＿Ｍの順に一次保持される。更に前記第２の音声データは、本発明に係る記録フォーマットに基づきＰＲＵ＿１＿１、ＰＲＵ＿１＿２・・・ＰＲＵ＿Ｎ＿Ｍの順に一次保持される。
【００３９】
これらメモリ１０３に一次保持される映像データ及び第１及び第２の音声データは、図６（ａ）の様にメモリ領域を分けて保持されるものに限らず、図６（ｂ）の様に本発明に係る光ディスク１０１上の物理的な配置に等しい領域にわけて保持されるものであっても良い。更には、図６（ｃ）に示すように、映像データ及び第１の音声データを一次保持するメモリ１０３ａと、第２の音声データを一次保持するメモリ１０３ｂを各々独立して設けるものであってもよい。
【００４０】
次にＳ５０４において、メモリ１０３に一時保持された、前記映像データと第１及び第２の音声データが所定値以上になったか監視される。該所定値としては、本発明に係る記録フォーマットの最小記録再生単位ＶＵ毎にすることが好ましいが、本発明に係る記録フォーマットの連続記録再生単位ＲＵ毎にすることや、メモリ１０３の使用率で行うものであっても良い。
【００４１】
前記Ｓ５０４において所定値の映像データ及び第１の音声データと第２の音声データが、メモリ１０３に一次保持されたら続いて記録シーケンスＳ６０１が起動される。前記メモリ１０３が所定値に満たない場合は、前記データ変換処理５０２及びデータ一時保持処理５０３が繰り返される。
【００４２】
図７に前記記録シーケンスＳ６０１の詳細なフローチャートを示す。
【００４３】
まず、Ｓ６０２において本発明における映像記録再生装置の光ピックアップ１０６のサーボ状態が識別され、サーボが休止状態の場合にはＳ６０３においてサーボ制御が起動される。一方、既にサーボ制御が起動されている場合には、前記メモリ１０３に一時保持されているデータを光ディスク１０１上の所定位置に記録する為に、前記光ピックアップ１０６を所定のアドレス位置まで移動するためにシーク制御が行われる。（Ｓ６０４）
前記サーボ制御は、図１に示すサーボ制御部１０７で行われる。制御されるものとしては、光ディスク１０１を回転駆動するスピンドルモータ及び、光ピックアップ１０６のフォーカス・トラッキング制御等がある。
【００４４】
続いてＳ６０５において、光ディスク１０１に記録すべきデータが、前記第２の音声データで構成されるＰＲＵであるか、前記映像データ及び第１の音声データで構成されるＶｉｄｅｏ及びＡｕｄｉｏであるか判断される。ＰＲＵと判断された場合、メモリ１０３に一時保持されているＰＲＵ＿１＿１が読み出されて光ディスク１０１のＰＲＵ＿１＿１を記録すべき所定位置に記録される。（Ｓ６０６）
ここで光ディスク１０１上には、ＰＲＵ＿１＿１、Ａｕｄｉｏ＿１＿１、Ｖｉｄｅｏ＿１＿１、ＰＲＵ＿１＿２、Ａｕｄｉｏ＿１＿２、Ｖｉｄｅｏ＿１＿２・・・ＰＲＵ＿Ｎ＿Ｍ、Ａｕｄｉｏ＿Ｎ＿Ｍ、Ｖｉｄｅｏ＿Ｎ＿Ｍの領域が順に連続して設けられてことから、メモリ１０３に一時保持されているＰＲＵ＿１＿１データを読み出し、光ディスク１０１の所定位置に記録が完了したら、続いてメモリ１０３に一時保持されているＡｕｄｉｏ＿１＿１を読み出し、光ディスク１０１の所定位置に記録が行われる。更にメモリ１０３に一時保持されているＶｉｄｅｏ＿１＿１を読み出し、光ディスク１０１の所定位置に記録が行われることにより、データの記録シーケンスが実行される。
【００４５】
つまり、Ｓ６０５→Ｓ６０６→Ｓ６０８→Ｓ６０５→Ｓ６０７→Ｓ６０８→Ｓ６０５→Ｓ６０６・・・ＲＥＴＵＲＮと、光ディスク１０１に記録するデータが選択されて、前記記録を繰り返されることによって、前記光ディスク１０１上に、ＰＲＵ＿１＿１、Ａｕｄｉｏ＿１＿１、Ｖｉｄｅｏ＿１＿１、ＰＲＵ＿１＿２、Ａｕｄｉｏ＿１＿２、Ｖｉｄｅｏ＿１＿２・・・ＰＲＵ＿Ｎ＿Ｍ、Ａｕｄｉｏ＿Ｎ＿Ｍ、Ｖｉｄｅｏ＿Ｎ＿Ｍの順に連続して記録が行われる。
【００４６】
このように、第１実施例に示す映像音声記録再生装置によれば、Ｖｉｄｅｏ領域及びＡｕｄｉｏ領域に連続して設けられたＰＲＵ領域に、該Ｖｉｄｅｏ領域及びＡｕｄｉｏ領域の映像及び第１の音声データを記録している最中であっても、編集するための第２の音声データを記録することができ、また、第２の音声データをＰＲＵ領域に記録している最中であっても、Ｖｉｄｅｏ領域及びＡｕｄｉｏ領域に映像及び第１の音声データを記録することもできる。
【００４７】
前記第２の音声データは、第１の映像又は／及び音声信号に合わせた情景解説や登場人物を説明するナレーション信号等を記録してもよく、映像音声記録再生装置としての新しい付加価値を生み出すものである。
【００４８】
また、記録後に編集作業を行う際には、編集するための第２の領域を書き換え可能とし、一度記録した第２の音声データを、後に編集可能としているので、更なる利用形態の多角化と利便性の向上を図ることができる。
【００４９】
（第２の実施例）
本発明の映像記録再生方法及び装置の他の実施例について図面を参照しながら以下に説明する。図８は、本発明に係る第２の映像記録再生装置の概略図である。
【００５０】
図８において、前記第１の実施例と同じ個所は同一符合で記し、同図において光ディスク１０１、ＣＰＵ１０２、メモリ１０３、スピンドルモータ１０４、レーザ制御回路１０５、光学ヘッド１０６、サーボ制御部１０７、シーク制御部１０８、再生信号処理部１０９、ＥＣＣ１０９、記録信号処理部１１０は同様の働きをする。
【００５１】
１１７は前記光ディスク１０１に記録される映像信号を入力する第１の映像入力部であり、１１８は前記光ディスク１０１に記録される音声信号を入力する音声入力部であり、該第１の映像入力部１１７及び該音声入力部で得られた第１の映像及び音声信号は、第１変換部１１５により所定フォーマットに処理される。更に、１１９は前記光ディスク１０１に記録するための第２の映像信号を入力する第２の映像入力部であり、第２変換部１１６により所定フォーマットに処理されるものである。
【００５２】
ここで、本発明に係る第１実施例と第２実施例に用いられるフォーマットの相違について述べる。
【００５３】
前記第１の実施例におけるＰＲＵ領域は、ＭＰＥＧ−１規格に準じたＡＡＵフォーマットされた音声データを記録するものである。第２の実施例においては、前記第１の映像入力手段１１７から入力される映像データ及び前記音声入力手段１１８から入力される音声データが、光ディスク１０１上のＶｉｄｅｏ領域及びＡｕｄｅｏ領域に記録するに合わせて、前記第２の映像入力手段１１９から入力される任意の第２の映像データが、前記第２の変換部１１６においてＭＰＥＧ−２規格に準じたＧＯＰフォーマットされた第２の映像データを記録するものである。
【００５４】
以下、本発明の係る第２の映像記録再生装置の記録シーケンスについて、図４〜図６のフローチャートを参照しながら説明する。
【００５５】
先ず、Ｓ４０１においてＣＰＵ１０２が不図示のボタン等により撮影・記録開始を認識されると、Ｓ４０２において撮影・記録の終了が認識されるまで、撮影シーケンスＳ５０１が実行される。
【００５６】
図５に前記撮影シーケンスＳ５０１の詳細なフローチャートを示す。
【００５７】
本発明における第１の映像入力部１１７から入力された第１の映像信号は、第１の変換部１１５において前記ＭＰＥＧ−２規格に基づく信号処理が行われ、前記記録フォーマットに従った映像データに変換処理される。また同時に、音声入力部１１８から入力された音声信号は、第１の変換部１１５において前記ＭＰＥＧ−１規格に基づく信号処理が行われ、前記記録フォーマットに従った音声データに変換処理される。（Ｓ５０２）
更にこれとは別に、第２の映像入力部１１９から入力された第２の映像信号は、第２の変換部１１６において前記ＭＰＥＧ−２規格に基づく信号処理が行われ、前記記録フォーマットに従った第２の映像データに変換処理される。（Ｓ５０２）
前記第１の変換部１１５で処理された第１の映像データ及び音声のデータと、前記第２の変換部１１６で処理された第２の映像データは、順次メモリ１０３に一時保存される。（Ｓ５０３）
ここで、前記第１の映像入力部１１７としてはＣＣＤ撮像素子、前記第１の音声入力部１１８としてはマイクロフォンが広く一般的に用いられている。更に本発明の特徴とする前記第２の映像入力部１１９としては、ＳＤカード等の半導体メモリを利用する映像再生装置や、前記第１の映像入力部１１７ＣＣＤ撮像素子と異なる撮像素等が用いられ、何れの場合においても、第１の映像入力部１１７と第２に映像入力部１１９から得られる第１及び第２の映像信号が明確に分離されていることが望ましい。
【００５８】
また、該第２の映像入力部１１９から入力される映像信号は、前記第１の映像入力部１１７から入力されている映像信号に合わせたフレーム画像をつけるための映像信号とするのが最も効果的な利用形態である。例えば、結婚式のシーンを撮影している場合等においては、花柄のフレーム画像をつける事が効果的である。更には、該第１の映像信号が運動会である場合には、犬が走っている映像をアニメーション信号として重ね合わせたり、キリンが玉入れ競争に参加しているように見えるアニメーション信号を重ね合わせるための画像信号等であってもよい。
【００５９】
次に、本発明に係るメモリ１０３の使用方法及び、記録シーケンスにについては、前記第１の実施例に準拠するのため省略する。
【００６０】
このように、第２実施例に示す映像音声記録再生装置によれば、Ｖｉｄｅｏ領域及びＡｕｄｉｏ領域に連続して設けられたＰＲＵ領域に、該Ｖｉｄｅｏ領域及びＡｕｄｉｏ領域に第１の映像及び音声データを記録している最中であっても、編集するための第２の映像データを記録することができ、また、第２の映像データをＰＲＵ領域に記録している最中であっても、Ｖｉｄｅｏ領域及びＡｕｄｉｏ領域に第１の映像及び音声データを記録することもできる。
【００６１】
前記第２の映像データは、第１の映像及び／又は信号に合わせたフレーム映像信号やアニメーション信号等を記録可能してもよく、映像音声記録再生装置としての新しい付加価値を生み出すものである。
【００６２】
また、記録後に編集作業を行う際には、編集するための第２の領域では書き換え可能とし、一度記録した第２の映像データを、後に編集可能としているので、更なる利用形態の多角化と利便性の向上を図ることができる。
【図面の簡単な説明】
【００６３】
【図１】本発明に係る第１の映像音声記録再生装置の概略図。
【図２】本発明に適用される記録フォーマットの概略。
【図３】従来の通常記録動作。
【図４】本発明に係る撮影・記録シーケンス。
【図５】本発明に係る撮影・記録シーケンス。
【図６】本発明に係るメモリの使用形態。
【図７】本発明に係る撮影・記録シーケンス。
【図８】本発明に係る第２の映像音声記録再生装置の概略図。
【符号の説明】
【００６４】
１０１  光ディスク
１０２  ＣＰＵ
１０３  メモリ
１０４  スピンドルモータ
１０５  レーザ制御回路
１０６  光学ヘッド
１０７  サーボ制御部
１０８  シーク制御部
１０９  再生信号処理部
１１０  記録信号処理部
１１０  ＥＣＣ
１１２  映像入力部
１１３  第１の音声入力部
１１４  第２音声入力部
１１５  第１の変換部
１１６  第２の変換部
１１７  第１の映像入力部
１１８  音声入力部
１１９  第２音声入力部
【図１】
2006127629.tif 000003
【図２】
2006127629.tif 000004
【図３】
2006127629.tif 000005
【図４】
2006127629.tif 000006
【図５】
2006127629.tif 000007
【図６】
2006127629.tif 000008
【図７】
2006127629.tif 000009
【図８】
2006127629.tif 000010